(57)【要約】【課題】無線ＬＡＮ装置の設置場所を容易に把握可能な技術を提供する。【解決手段】ネットワーク上の機器の接続状態を視覚的に示すネットワークマップを表示するためのプログラムは、無線通信を行う無線ＬＡＮ装置を、無線ＬＡＮ装置の本体画像と、無線ＬＡＮ装置の設置場所を示す場所画像とを含む設置箇所画像で描画してネットワークマップに表示する機能をコンピュータに実行させる。【選択図】図５
2019095950.tif 000002
【特許請求の範囲】
【請求項１】
ネットワーク上の機器の接続状態を視覚的に示すネットワークマップを表示するためのプログラムであって、
無線通信を行う無線ＬＡＮ装置を、前記無線ＬＡＮ装置の本体画像と、前記無線ＬＡＮ装置の設置場所を示す場所画像とを含む設置箇所画像で描画して前記ネットワークマップに表示する機能をコンピュータに実行させるプログラム。
【請求項２】
請求項１に記載のプログラムであって、
前記設置箇所画像は、前記本体画像と前記場所画像とを合成した画像である、プログラム。
【請求項３】
請求項２に記載のプログラムであって、
前記合成は、前記場所画像と前記本体画像とのうち少なくとも一方に色調調整を行うことによって前記場所画像と前記本体画像との色調の類似度を低下させる処理を含む、プログラム。
【請求項４】
請求項３に記載のプログラムであって、
前記合成は、前記場所画像にフィルタリング処理を行うことによって前記場所画像を平滑化する処理を含む、プログラム。
【請求項５】
請求項１から４のうちいずれかに記載のプログラムであって、更に、
前記無線ＬＡＮ装置から前記本体画像を取得する機能を含む、プログラム。
【請求項６】
請求項１から５のうちいずれかに記載のプログラムであって、更に、
インターネット上から前記無線ＬＡＮ装置の装置情報を用いて前記本体画像を取得する機能を含む、プログラム。
【請求項７】
請求項１から６のうちいずれかに記載のプログラムであって、更に、
前記場所画像の候補となる複数の候補画像を選択肢として表示する機能を含む、プログラム。
【請求項８】
請求項１から７のうちいずれかに記載のプログラムであって、更に、
前記無線ＬＡＮ装置の接続の態様を前記ネットワークマップに表示する機能を含む、プログラム。
【請求項９】
請求項１から８のうちいずれかに記載のプログラムであって、更に、
前記無線ＬＡＮ装置に接続されている無線端末の台数を前記ネットワークマップに表示する機能を含む、プログラム。
【請求項１０】
請求項１から９のうちいずれかに記載のプログラムであって、更に、
接続が切れた前記無線ＬＡＮ装置をリストアップして表示する機能を含む、プログラム。
【請求項１１】
無線通信を行う無線ＬＡＮ装置であって、
該無線ＬＡＮ装置の本体画像と、該無線ＬＡＮ装置の設置場所を示す場所画像とを含む設置箇所画像で描画してネットワークマップに表示したコンテンツを無線端末に提供する、無線ＬＡＮ装置。
【発明の詳細な説明】
【技術分野】
【０００１】
本発明は、ネットワークマップを表示するコンピュータプログラム、および、無線ＬＡＮ装置に関する。
【背景技術】
【０００２】
ネットワーク上の機器の接続状態を視覚的に示すネットワークマップを表示するプログラムとして、ネットワークマップ上で各ネットワーク機器にコメントを設定するものが知られている。また、特許文献１に記載のプログラムでは、ネットワーク機器に類似する外観図を表示することができる。特許文献２に記載のプログラムでは、フロアマップ上に無線ＬＡＮ装置の位置を加えたネットワークマップを作成することができる。
【先行技術文献】
【特許文献】
【０００３】
【特許文献１】特開２００５−１７３９９７
【特許文献２】特許第４９９８２９６号
【発明の概要】
【発明が解決しようとする課題】
【０００４】
ところで、無線ＬＡＮ装置を使った通信の調子が悪くなった場合、通信状況や通信経路の確認が必要になることがある。また、通信状況の改善のために無線ＬＡＮ装置を移動させる際に、無線ＬＡＮ装置の設置場所が不明になる場合がある。さらに、家具の隙間や、陰に無線ＬＡＮ装置が設置される場合、言葉で表現しづらいおそれがある。また、一般家庭では、フロアマップを所持していない場合がある。そのため、無線ＬＡＮ装置の設置場所を容易に把握可能な技術が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、ネットワーク上の機器の接続状態を視覚的に示すネットワークマップを表示するためのプログラムが提供される。このプログラムは、無線通信を行う無線ＬＡＮ装置を、前記無線ＬＡＮ装置の本体画像と、前記無線ＬＡＮ装置の設置場所を示す場所画像とを含む設置箇所画像で描画して前記ネットワークマップに表示する機能をコンピュータに実行させる。この形態のプログラムによれば、ネットワークマップに無線ＬＡＮ装置の本体画像と場所画像とを含む設置箇所画像を表示するため、無線ＬＡＮ装置の設置場所を容易に把握できる。
【０００７】
（２）上記形態のプログラムにおいて、前記設置箇所画像は、前記本体画像と前記場所画像とを合成した画像でもよい。この形態のプログラムによれば、無線ＬＡＮ装置の設置場所をより容易に把握できる。
【０００８】
（３）上記形態のプログラムにおいて、前記合成は、前記場所画像と前記本体画像のうち少なくとも一方に色調調整を行うことによって前記場所画像と前記本体画像との色調の類似度を低下させる処理を含んでいてもよい。この形態のプログラムによれば、無線ＬＡＮ装置の設置場所をより容易に把握できる。
【０００９】
（４）上記実施形態のプログラムにおいて、前記合成は、前記場所画像にフィルタリング処理を行うことによって前記場所画像を平滑化する処理を含んでいてもよい。この形態のプログラムによれば、無線ＬＡＮ装置の設置場所をより容易に把握できる。
【００１０】
（５）上記形態のプログラムにおいて、更に、前記無線ＬＡＮ装置から前記本体画像を取得する機能を含んでいてもよい。この形態のプログラムによれば、無線ＬＡＮ装置の本体画像を確実に表示できる。
【００１１】
（６）上記形態のプログラムにおいて、更に、インターネット上から前記無線ＬＡＮ装置の装置情報を用いて前記本体画像を取得する機能を含んでいてもよい。この形態のプログラムによれば、無線ＬＡＮ装置の本体画像を確実に表示できる。
【００１２】
（７）上記形態のプログラムにおいて、更に、前記場所画像の候補となる複数の候補画像を選択肢として表示する機能を含んでいてもよい。この形態のプログラムによれば、確実に場所画像の表示ができる。
【００１３】
（８）上記形態のプログラムにおいて、更に、前記無線ＬＡＮ装置の接続の態様を前記ネットワークマップに表示する機能を含んでいてもよい。この形態のプログラムによれば、ネットワークマップ上で無線ＬＡＮ装置の接続の態様が確認できる。
【００１４】
（９）上記形態のプログラムにおいて、更に、前記無線ＬＡＮ装置に接続されている無線端末の台数を前記ネットワークマップに表示する機能を含んでいてもよい。この形態のプログラムによれば、ネットワークマップ上で無線ＬＡＮ装置に接続されている無線端末の台数が確認できる。
【００１５】
（１０）上記形態のプログラムにおいて、更に、接続が切れた前記無線ＬＡＮ装置をリストアップして表示する機能を含んでいてもよい。この形態のプログラムによれば、ネットワークマップ上で接続が切れた無線ＬＡＮ装置が確認できる。
【００１６】
なお、本発明は、種々の形態で実現することが可能であり、例えば、ネットワークマップの表示システムや、ネットワークマップの表示方法、ネットワークマップを表示するコンテンツを提供する無線ＬＡＮ装置、これらの方法または装置の機能を実現するためのコンピュータプログラム等の形態で実現することができる。コンピュータプログラムは、コンピュータが読み取り可能な一時的でない有形の記録媒体に記録されていてもよい。
【図面の簡単な説明】
【００１７】
【図１】ネットワーク構成の概要を示す説明図である。
【図２】第１無線ＬＡＮ装置と第１端末装置のブロック図である。
【図３】ネットワークマップの描画処理を表すフローチャートである。
【図４】ネットワークマップの一例を示した図である。
【図５】ネットワークマップの一例を示した図である。
【図６】設置箇所画像の生成処理を表すフローチャートである。
【図７】ネットワークマップの一例を示した図である。
【図８】ネットワークマップの一例を示した図である。
【発明を実施するための形態】
【００１８】
Ａ．第１実施形態：
図１は、本発明の一実施形態におけるプログラムが描画するネットワーク上の機器の接続状態を視覚的に示すネットワークマップにおけるネットワーク構成の概要を示す説明図である。本実施形態において、ネットワーク１００は、第１無線ＬＡＮ装置１０と、第２無線ＬＡＮ装置２０と、第３無線ＬＡＮ装置３０と、第１端末装置ＣＬ１と、第２端末装置ＣＬ２と、を備えるローカルエリアネットワークである。本実施形態において、無線ＬＡＮ装置１０〜３０および端末装置ＣＬ１、ＣＬ２は、それぞれ無線通信により接続されている。ただし、一部は有線接続でもよい。
【００１９】
第１無線ＬＡＮ装置１０は、ケーブルを介してインターネットＩＮＴに接続されており、ルータとしての機能を有している。第２無線ＬＡＮ装置２０および第３無線ＬＡＮ装置３０は、第１無線ＬＡＮ装置１０を介してインターネットＩＮＴに接続されている。本実施形態において、例えば、第２無線ＬＡＮ装置２０は、５ＧＨｚ帯域での無線通信を行い、第３無線ＬＡＮ装置３０は、２．４ＧＨｚ帯域での無線通信を行う。
【００２０】
端末装置ＣＬ１、ＣＬ２は、無線ＬＡＮ装置１０〜３０を介してインターネットＩＮＴに接続される装置である。第１端末装置ＣＬ１は、第１無線ＬＡＮ装置１０に無線接続されており、第２端末装置ＣＬ２は、第２無線ＬＡＮ装置２０に無線接続されている。端末装置ＣＬ１、ＣＬ２は、本実施形態では、スマートフォンである。端末装置ＣＬ１、ＣＬ２は、スマートフォンに限らず、パーソナルコンピュータやタブレット型ＰＣや携帯電話機器であってもよい。本実施形態において、第１端末装置ＣＬ１は、ネットワークマップの表示プログラムを実行する。
【００２１】
図２は、本発明の一実施形態における第１無線ＬＡＮ装置１０と第１端末装置ＣＬ１のブロック図である。第１無線ＬＡＮ装置１０は、無線通信部１２と、コンテンツ提供部１４と、メモリ１６と、を備える。無線通信部１２は、他の装置、例えば無線ＬＡＮ装置２０、３０や端末装置ＣＬ１、ＣＬ２との間で通信を行う。コンテンツ提供部１４は、本実施形態では、メモリ１６に保存された本体画像を他の装置に提供する。「本体画像」とは、無線ＬＡＮ装置の外観を示す画像である。なお、本体画像は、デフォルメされたようなアイコン画像を含む。
【００２２】
第１端末装置ＣＬ１は、無線通信部Ｃ１０と、プロセッサＣ２０と、メモリＣ３０と、表示部Ｃ４０と、カメラＣ５０と、を備える。無線通信部Ｃ１０は、他の装置、例えば無線ＬＡＮ装置１０、２０、３０との間で通信を行う。プロセッサＣ２０は、メモリＣ３０に記録されたネットワークマップ表示プログラムを実行することで、後述するネットワークマップの描画処理を行う。表示部Ｃ４０は、ネットワークマップを表示する。
【００２３】
図３は、本発明の一実施形態におけるネットワークマップの描画処理を表すフローチャートである。まず、第１端末装置ＣＬ１は、ステップＳ１００において各無線ＬＡＮ装置１０〜３０からそれぞれ接続情報を取得する。接続情報とは、例えば、各無線ＬＡＮ装置の型番等の装置情報や接続先、繋がっている端末装置の機器の種類やオペレーティングシステム（ＯＳ）や数、接続の態様を含む情報である。本実施形態において、「接続の態様」とは、例えば、インターネットＩＮＴへの接続における有線通信の転送速度、または無線通信の無線帯域や周波数、またはＢｌｕｅｔｏｏｔｈ（登録商標）等の接続形態や、無線通信における電波強度、通信品質、リンク速度、ノイズの量等の通信状況等を示す。
【００２４】
次に、第１端末装置ＣＬ１は、ステップＳ１１０においてネットワークマップを構築する。本実施形態において、第１端末装置ＣＬ１は、各無線ＬＡＮ装置を本体画像によって表示する。本実施形態では、第１端末装置ＣＬ１が、各無線ＬＡＮ装置のコンテンツ提供部１４から本体画像を取得している。本体画像は、第１端末装置ＣＬ１が有していてもよい。また、第１端末装置ＣＬ１は、ステップＳ１００で取得した無線ＬＡＮ装置の装置情報を用いて、インターネットＩＮＴ上のサーバから本体画像を取得してもよい。
【００２５】
図４は、ステップＳ１１０における、ネットワークマップの一例を示した図である。ネットワークマップは、第１端末装置ＣＬ１の画面Ｄ１に表示される。無線ＬＡＮ装置１０、２０、３０は、それぞれ、ノードＮ１、Ｎ２、Ｎ３に対応している。本実施形態において、第１端末装置ＣＬ１は、本体画像ＢＭ１の下に、各無線ＬＡＮ装置の型番ＭＮと各無線ＬＡＮ装置に接続している端末装置の数ＮＴとを表示することができる。
【００２６】
ステップＳ１２０〜Ｓ１６０は、ネットワークマップ上に無線ＬＡＮ装置１０、２０、３０の設置箇所画像を描画する処理である。まず、第１端末装置ＣＬ１は、ステップＳ１２０において、ステップＳ１３０〜Ｓ１６０の処理を行う対象となる無線ＬＡＮ装置を選択させる。この選択は、例えば、ネットワークマップ上の１つのノードをタップすることによって行われる。なお、無線ＬＡＮ装置が１つのみである場合、ステップＳ１２０は省略してもよい。次に、第１端末装置ＣＬ１は、ステップＳ１３０において、ステップＳ１２０で選択した無線ＬＡＮ装置の設置場所を設定する。例えば、第１端末装置ＣＬ１は、無線ＬＡＮ装置１０の設置場所を、「階段下」と設定する。第１端末装置ＣＬ１は、設置場所として予め定められた選択肢より選択させてもよいし、設置場所を示す文字を直接入力させてもよい。
【００２７】
続いて、第１端末装置ＣＬ１は、ステップＳ１４０において、場所画像を選択させる。「場所画像」とは、無線ＬＡＮ装置の設置場所を示す画像である。本実施形態において、第１端末装置ＣＬ１は、場所画像の候補となる複数の候補画像を選択肢として表示する。場所画像は無線ＬＡＮ装置１０から取得してもよい。また、第１端末装置ＣＬ１が予めカメラＣ５０で撮影して保存したものや、カメラＣ５０で撮影した映像を利用してもよい。
【００２８】
第１端末装置ＣＬ１は、場所画像を選択させた後、ステップＳ１５０において、設置箇所画像を生成する。「設置箇所画像」とは、場所画像と無線ＬＡＮ装置の本体画像とを含む画像である。本実施形態において、設置箇所画像は、本体画像と場所画像とを合成した画像である。表示画像の生成の詳細については後述する。なお、設置箇所画像は、無線ＬＡＮ装置の設置場所と本体とが視覚的に把握できればよく、例えば、場所画像と本体画像とを並べた画像としてもよい。
【００２９】
続いて、第１端末装置ＣＬ１は、ステップＳ１６０において、ネットワークマップを描画する。より具体的には、ステップＳ１１０で構築したネットワークマップ上において、ステップＳ１２０で選択した無線ＬＡＮ装置を、ステップＳ１５０で生成した設置箇所画像で描画して表示する。最後に、第１端末装置ＣＬ１は、ステップＳ１７０において、ネットワークマップの描画が完了したかどうか判断する。ネットワークマップの描画が完了した場合、例えば、ネットワーク１００が備える全ての無線ＬＡＮ装置について設置箇所画像を生成して表示した場合、ネットワークマップ描画処理を終了する。一方、ネットワークマップの描画が完了していない場合、第１端末装置ＣＬ１はステップＳ１２０の処理に戻り、ネットワークマップの描画を続ける。なお、ステップＳ１７０において、ユーザがネットワークマップの描画が完了したか否かを選択できるようにしてもよい。また、上述したステップＳ１２０〜Ｓ１４０の手順で設定された情報は、第１端末装置ＣＬ１の記憶装置に保存し、ネットワークマップ描画に再利用してもよい。
【００３０】
図５は、ネットワークマップの描画処理が完了した、ネットワークマップの一例を示した図である。ノードＮ１には、第１無線ＬＡＮ装置１０の本体画像ＢＭ１と、その場所画像ＰＭ１とを含む設置箇所画像Ｍ１が表示されている。他のノードＮ２、Ｎ３も同様に設置箇所画像Ｍ２、Ｍ３が表示されている。本実施形態において、設置箇所画像Ｍ１の下には、無線ＬＡＮ装置の型番ＭＮ（図４）に代えて設置場所ＰＬを表示している。なお、型番ＭＮと設置場所ＰＬのどちらか一方のみを表示してもよいし、両方表示してもよい。
【００３１】
図６は、本発明の一実施形態における設置箇所画像の生成処理を表すフローチャートである。ここでは、ノードＮ１の設置箇所画像Ｍ１を例にして説明する。まず、第１端末装置ＣＬ１は、ステップＳ２００において場所画像ＰＭ１と本体画像ＢＭ１との色調が類似しているかどうかを判断する。色調の類似度は、例えば、ヒストグラムの類似度であるバタチャリア係数により求めることができる。色調の類似度が予め定めた閾値以上の場合、第１端末装置ＣＬ１は、ステップＳ２１０に進み、場所画像ＰＭ１の色調調整を行い、場所画像ＰＭ１と本体画像ＢＭ１との色調の類似度を低下させる。色調調整は、例えば、ガンマ補正や明度の変更によって行う。一方、色調の類似度が閾値未満の場合、第１端末装置ＣＬ１は、ステップＳ２２０に進む。
【００３２】
続いて、第１端末装置ＣＬ１は、ステップＳ２２０において、場所画像ＰＭ１にフィルタを適用する。フィルタは、場所画像より本体画像を引き立たせるために平滑化するものが好ましく、例えば、画像のノイズを除去するメディアンフィルタやガウス関数を使って画像をぼかすガウスフィルタ等を適用できる。場所画像全てを平滑化してもよいし、後述するステップＳ２３０で合成する際の本体画像の周囲の場所画像のみを平滑化してもよい。なお、ステップＳ２１０の色調調整とステップＳ２２０のフィルタリング処理とは順序が逆でもよい。また、場所画像ＰＭ１と本体画像ＢＭ１との色調の類似度を低下させるために、色調調整とフィルタリング処理のうちどちらか一方のみを行ってもよい。
【００３３】
最後に、第１端末装置ＣＬ１は、ステップＳ２３０において、場所画像ＰＭ１と本体画像ＢＭ１とを合成する。画像合成は、例えば、αブレンドや排他的論理和等の論理演算を用いる。なお、場所画像ＰＭ１がカメラＣ５０等によって撮影された画像であり、第１無線ＬＡＮ装置１０が写り込んでいる場合、端末装置ＣＬ１は、場所画像ＰＭ１から第１無線ＬＡＮ装置１０の輪郭を抽出して、本体画像ＢＭ１を作成してもよく、場所画像ＰＭ１の第１無線ＬＡＮ装置１０部分を拡大等して、設置箇所画像Ｍ１を作成してもよい。
【００３４】
以上で説明した本実施形態のプログラムによれば、第１端末装置ＣＬ１は、ネットワークマップに無線ＬＡＮ装置の本体画像と場所画像とを含む設置箇所画像を表示するため、無線ＬＡＮ装置の設置場所を容易に把握できる。
【００３５】
また、設置箇所画像は、本体画像と場所画像とを合成した画像であり、第１端末装置ＣＬ１が色調調整とフィルタリング処理とを行うことによって場所画像と本体画像との色調の類似度を低下させているため、無線ＬＡＮ装置の設置場所をより容易に把握できる。
【００３６】
また、第１端末装置ＣＬ１が、各無線ＬＡＮ装置から本体画像を取得しているため、各無線ＬＡＮ装置の本体画像を確実に表示できる。
【００３７】
また、第１端末装置ＣＬ１が、場所画像の候補となる複数の候補画像を選択肢として表示するため、確実に場所画像の表示ができる。
【００３８】
また、第１端末装置ＣＬ１が、各無線ＬＡＮ装置に接続されている無線端末の台数をネットワークマップに表示するため、ネットワークマップ上で無線ＬＡＮ装置に接続されている無線端末の台数が確認できる。
【００３９】
Ｂ．その他の実施形態：
図７は、その他の実施形態におけるネットワークマップの一例を示した図である。ここでは、接続の態様を、無線ＬＡＮ装置同士を繋ぐ線で表している。例えば、線の色や太さ、種類によって、接続の態様の違いを表してもよい。図７に示す例では、有線接続を実線Ｌ１で表しており、無線接続を点線Ｌ２、Ｌ３で表している。また、５ＧＨｚ帯域の無線通信を２本の点線Ｌ２で表しており、２．４ＧＨｚ帯域の無線通信を１本の点線Ｌ３で表している。ノードＮ３に表示された矢印Ｗ１は、ノードＮ１とノードＮ３との無線接続状況が悪いことを示す。本実施形態において「無線接続状況が悪い」とは、例えば、図３のステップＳ１００で取得したリンク速度や信号強度が、予め定めた閾値よりも低い場合である。また、ネットワークマップ描画処理を行う端末装置ＣＬ１が、第１無線ＬＡＮ装置１０に接続していることをアイコンＣＩＭで表している。なお、アイコンＣＩＭは電波強度に応じて矩形ａ１〜ａ３を含む。電波強度が強ければ、矩形ａ１〜ａ３が表示され、電波強度が弱ければ矩形ａ３、ａ２、ａ１が順に表示されなくなる。この実施形態によれば、ネットワークマップ上で無線ＬＡＮ装置の接続の態様が確認できる。
【００４０】
図８は、更に、その他の実施形態におけるネットワークマップの一例を示した図である。ここでは、前回ネットワークマップを表示したときと比較して、無線接続が検知されない無線ＬＡＮ装置を、リストアップして画面に表示している。具体的には、図５においてノードＮ３に表示されていた第３無線ＬＡＮ装置３０の設置箇所画像Ｍ３が、非検知の接続先を表示するための表示領域ＮＤＡに表示されている。この実施形態によれば、ネットワークマップ上で接続が切れた無線ＬＡＮ装置が確認できる。
【００４１】
また、上述した各実施形態において、第１端末装置ＣＬ１は、プロセッサＣ２０がメモリＣ３０に記録されたネットワークマップ表示プログラムを実行することで、ネットワークマップの描画処理を行っている。この代わりに、無線ＬＡＮ装置１０のコンテンツ提供部１４が、設置箇所画像が描画されたネットワークマップを含むコンテンツを第１端末装置ＣＬ１に提供してもよい。
【００４２】
本発明は、上述の実施形態に限られるものではなく、その趣旨を逸脱しない範囲において種々の構成で実現することができる。例えば発明の概要の欄に記載した各形態中の技術的特徴に対応する実施形態中の技術的特徴は、上述した課題を解決するために、あるいは上述の効果の一部又は全部を達成するために、適宜、差し替えや組み合わせを行うことが可能である。また、その技術的特徴が本明細書中に必須なものとして説明されていなければ、適宜削除することが可能である。
【符号の説明】
【００４３】
１０…第１無線ＬＡＮ装置
１２…無線通信部
１４…コンテンツ提供部
１６…メモリ
２０…第２無線ＬＡＮ装置
３０…第３無線ＬＡＮ装置
１００…ネットワーク
ＢＭ１…本体画像
Ｃ１０…無線通信部
Ｃ２０…プロセッサ
Ｃ３０…メモリ
Ｃ４０…表示部
Ｃ５０…カメラ
ＣＩＭ…アイコン
ＣＬ１…第１端末装置
ＣＬ２…第２端末装置
Ｄ１…画面
ＩＮＴ…インターネット
Ｌ１…実線
Ｌ２、Ｌ３…点線
Ｍ１、Ｍ２、Ｍ３…設置箇所画像
ＭＮ…型番
Ｎ１、Ｎ２、Ｎ３…ノード
ＮＤＡ…表示領域
ＮＴ…数
ＰＬ…設置場所
ＰＭ１…場所画像
Ｗ１…矢印
ａ１、ａ２、ａ３…矩形
【図１】
2019095950.tif 000003
【図２】
2019095950.tif 000004
【図３】
2019095950.tif 000005
【図４】
2019095950.tif 000006
【図５】
2019095950.tif 000007
【図６】
2019095950.tif 000008
【図７】
2019095950.tif 000009
【図８】
2019095950.tif 000010